(57)【要約】【課題】  ポンプ式のシャンプーボトル等の入浴用物品を、洗い場のスペースを狭めることなく、その位置から移動させずにポンピング操作して使用できるようにする。【解決手段】  カウンター面１に隣り合わせて入浴用物品２を載置するための補助カウンター３を設ける。補助カウンター３の物品載置部３ａを、奥側から前側にかけて段落ちして段差を付ける。この場合、本発明は、物品載置部３ａを、カウンター面１より低く、又は高く形成したり、カウンター面１より高い物品載置部３ａと、低い物品載置部３ａとを備えて補助カウンター３を形成するのでも良い。【選択図】      図１
2009297201.tif 000002
【特許請求の範囲】
【請求項１】
カウンター面に隣り合わせて入浴用物品を載置するための補助カウンターが設けられている浴室用カウンターであって、上記の補助カウンターの物品載置部が、奥側から前側にかけて段落ちして段差が付けられていることを特徴とする浴室用カウンター。
【請求項２】
請求項１記載の浴室用カウンターであって、補助カウンターの物品載置部が、カウンター面より低く形成されていることを特徴とする浴室用カウンター。
【請求項３】
請求項１記載の浴室用カウンターであって、補助カウンターの物品載置部が、カウンター面より高く形成されていることを特徴とする浴室用カウンター。
【請求項４】
請求項１記載の浴室用カウンターであって、補助カウンターが、カウンター面より高い物品載置部と、低い物品載置部とを備えて形成されていることを特徴とする浴室用カウンター。
【請求項５】
請求項１乃至４の何れかに記載の浴室用カウンターであって、補助カウンターの前端が、カウンター面の形成されているカウンター本体部の前端より奥側に位置決めされていることを特徴とする浴室用カウンター。
【請求項６】
請求項１乃至４の何れかに記載の浴室用カウンターであって、補助カウンターの前端が、カウンター面の形成されているカウンター本体部の前端より前側に位置決めされていることを特徴とする浴室用カウンター。
【請求項７】
請求項１乃至６の何れかに記載の浴室用カウンターであって、補助カウンターの物品載置部が、着脱自在に形成されていることを特徴とする浴室用カウンター。
【請求項８】
請求項１乃至７の何れかに記載の浴室用カウンターであって、補助カウンターの物品載置部の前側に、入浴用物品の落下を防止するためのストッパーが形成されていることを特徴とする浴室用カウンター。
【請求項９】
請求項１乃至８の何れかに記載の浴室用カウンターであって、補助カウンターの物品載置部に、排水用の孔又は溝が形成されていることを特徴とする浴室用カウンター。
【発明の詳細な説明】
【技術分野】
【０００１】
本発明は浴室用カウンターに関し、更に詳しくはカウンター面に隣り合わせて入浴用物品を載置するための補助カウンターが設けられている浴室用カウンターに関するものである。
【背景技術】
【０００２】
従来、この種の浴室用カウンターとしては、例えば特許文献１に記載のものがある。この従来品は、主棚板と副棚板とで形成され、主棚板は浴槽から湯桶が入る幅だけ離され、副棚板は浴槽のエプロンと主棚板の端部との間に着脱自在に設けられている。
【０００３】
ところで、シャンプーやボディソープ等の容器は、近時、ポンプタイプのものが主流である。またユーザーによっては、成分や香料等が異なるボトルを複数揃えることが多い。
而して従来の浴室用カウンターは、特許文献１に見られるようにカウンター面の全面が同一平面状に形成されているのが通例であった。
従ってシャンプーボトル等をカウンター面の前後位置に置き、奥のポンプボトルを使用するときは、そのままではポンピング操作がしにくいため、従来は奥のボトルを、通常、手前に取り出してから操作しなければならない、という煩わしさがあった。
そのため従来品によると、手前に取り出したボトルをそのまま放置することも多く、カウンター面が雑然化し易いものであった。
またこの種のボトルを、例えば床置きタイプのケースに収納する場合は、洗い場のスペースを狭めることになり、またこの種のケースによると、カウンターに洗面器等を置いて洗髪や洗面をするとき、ケースを手元に引き寄せたり、ケースからボトルを出してポンピング操作しなければならない、という煩わしさがあった。
【特許文献１】特開平７−１２４０６６号公報
【発明の開示】
【発明が解決しようとする課題】
【０００４】
本発明は、このような従来の実情に鑑み、提案されたものである。
従って本発明の解決しようとする技術的課題は、ポンプ式のシャンプーボトル等の入浴用物品を、洗い場のスペースを狭めることなく、その位置から移動させずにポンピング操作して使用できるよう形成した使い勝手の良い浴室用カウンターを提供することにある。
【課題を解決するための手段】
【０００５】
本発明は、上記の課題を解決するため、次のような技術的手段を採る。
即ち本発明は、図１等に示されるように、カウンター面１に隣り合わせて入浴用物品２を載置するための補助カウンター３が設けられている浴室用カウンターであって、上記の補助カウンター３の物品載置部３ａが、奥側から前側にかけて段落ちして段差が付けられていることを特徴とする（請求項１）。
【０００６】
この場合、本発明は、補助カウンター３の物品載置部３ａが、図４に示されるように、カウンター面１より低く形成されているのでも良い（請求項２）。
なぜならこれによると、入浴用物品２の背がカウンター面１に置いた場合より低くなるため、ポンピング操作を楽にでき、また入浴用物品２が横滑りしてもカウンター面１の側部の段差面１ａ等で横滑りを防止できるからである。
【０００７】
また本発明は、補助カウンター３の物品載置部３ａが、図５に示されるように、カウンター面１より高く形成されているのでも良い（請求項３）。
なぜならこの場合は、カウンター面１から物品載置部３ａに水が流れることを防止でき、この種の水が入浴用物品２を横滑りさせたり、その底面等を汚すことを防止できるからである。
【０００８】
また本発明は、図６に示されるように、補助カウンター３が、カウンター面１より高い物品載置部３ａと、低い物品載置部３ａとを備えて形成されているのでも良い（請求項４）。
この場合は、物品載置部３ａが、カウンター面１より高い場合と低い場合の夫々の良い点を併せ持つ浴室用カウンターを提供できるからである。
【０００９】
また本発明は、図７に示されるように、補助カウンター３の前端３１が、カウンター面１の形成されているカウンター本体部４の前端４ａより奥側に位置決めされているのでも良い（請求項５）。
この場合は、補助カウンター３の前端３１とカウンター本体部４の前端４ａとの間のスペースに、例えばタオル掛け用のバーなどを配置でき、使い勝手が一層良くなるからである。
【００１０】
また本発明は、図８に示されるように、補助カウンター３の前端３１が、カウンター面１の形成されているカウンター本体部４の前端４ａより前側に位置決めされているのでも良い（請求項６）。
この場合は、物品載置部３ａの面積を増大でき、収納力をアップできるからである。
【００１１】
また本発明は、図９〜図１１に示されるように、補助カウンター３の物品載置部３ａが、着脱自在に形成されているのでも良い（請求項７）。
なぜならこれによると、物品載置部３ａを取り外して、補助カウンター３や物品載置部３ａの裏側を楽に掃除できるからである。またこれによると、物品載置部３ａをカウンター本体部４とは異なる材質（例えばワイヤー等）で形成したものを利用でき、補助カウンター３の目新しさや質感を高めることができるからである。また物品載置部３ａを引っ掛けて着脱する場合は、引っ掛け箇所を他の物の引っ掛けにも利用できるからである。
【００１２】
また本発明は、図１２等に示されるように、補助カウンター３の物品載置部３ａの前側に、入浴用物品２の落下を防止するためのストッパー９が形成されているのが好ましい（請求項８）。
なぜならこれによると、入浴用物品２が前方に滑り落ちることを防止できるからである。
【００１３】
更に本発明は、図２、図３、図１１に示されるように、補助カウンター３の物品載置部３ａに、排水用の孔３ｂ又は溝３ｃが形成されているのが好ましい（請求項９）。
なぜならこれによると、物品載置部３ａが乾燥し易くなり、また入浴用物品２の底面が物品載置部３ａと接触する面積が小さくなり、その分、汚れにくくなるからである。
【発明の効果】
【００１４】
本発明のカウンターは、このように構成されているから、ユニットバス等の限られた浴室スペースで洗い場を狭めることなく、ポンプ式のシャンプーボトル等の入浴用物品を、高さが略同じであれば高低をつけた状態で収納できる。
従ってこれによると、ボトルの手押し操作に使用する頭部の位置が、手前は低く、奥側は高くなるから、各ボトルを動かすことなく、載置位置のまま、楽にポンピング操作して使用できる。
【発明を実施するための最良の形態】
【００１５】
以下、本発明を実施するための最良の形態を説明する。
本発明の浴室用カウンターは、図１等に示されるように、カウンター面１に隣り合わせてポンプ式のシャンプーボトル等の入浴用物品２を載置するための補助カウンター３が設けられている。この補助カウンター３は、この実施形態ではカウンター本体部４のサイドに、カウンター本体部４と樹脂材で一体成形されている。
【００１６】
また補助カウンター３の物品載置部３ａは、奥側から前側にかけて段落ちして段差が付けられている。図１に係る本発明の補助カウンター３は、カウンター面１の一部が利用されて奥側がカウンター面１と面一状に形成され、段差が一つ付けられている例である。本発明は、この段差が、例えば図３に示されるように複数付けられ、補助カウンター３が、階段状に形成されているのでも良い。
【００１７】
また３ｂ（図２、図３参照）は、補助カウンター３の物品載置部３ａに縦方向に貫通された排水用の孔である。補助カウンター３の物品載置部３ａに飛散した水や、入浴用物品２から流れ落ちた水は、この実施形態ではこの孔３ｂを介して補助カウンター３の下方に排水される。
【００１８】
而して本発明の場合、補助カウンター３の物品載置部３ａは、図４に示されるように、その全てがカウンター面１より低く形成されているのでも、或いは逆に、図５に示されるように、高く形成されているのでも良い。また本発明は、補助カウンター３の物品載置部３ａが、図６に示されるように、カウンター面１より高い物品載置部３ａと低い物品載置部３ａとを備えて形成されているのでも良い。
【００１９】
また本発明は、図７に示されるように、補助カウンター３の前端３１が、カウンター面１の形成されているカウンター本体部４の前端４ａより奥側に位置決めされているのでも、或いは図８に示されるように、カウンター本体部４の前端４ａより前側に位置決めされているのでも良い。
【００２０】
また本発明は、図９、図１０に示されるように、補助カウンター３の物品載置部３ａが、着脱自在に形成されているのでも良い。図９に示される実施形態では、物品載置部３ａが、底の浅いケース形に形成されている。そしてこの物品載置部３ａは、後側の起立状の板部５の背面に、カウンター本体部４の切り欠き部４ｂの前側段差面に左右一対状に設けられている嵌合用突起６と嵌合する凹部７が形成されている。従って物品載置部３ａは、突起６に凹部７を嵌合させることにより、カウンター本体部４に取り付けられるものである。
【００２１】
また図１０に示される本発明品は、切り欠き部４ｂの前側の側端面にバー８が側方に突き出され、物品載置部３ａが断面逆ハット形に形成され、この物品載置部３ａの前側の引っ掛け部３２と、後側の引っ掛け部３３を、バー８と、切り欠き部４ｂの後側のカウンター本体部４の上面に引っ掛けることにより、着脱する例である。
【００２２】
以上の処において、物品載置部３ａは、例えば図１１に示されるように、ワイヤー等の材料で籠状に形成されているのでも良い。また本発明は、同図に示されるように、上記の孔３ｂに代え、排水用の溝３ｃで形成されるのでも良い。この溝３ｃは、前側に排水が可能になるよう、前側が低い状態に勾配が付けられている。
【００２３】
更に本発明は、図１２に示されるように、補助カウンター３の物品載置部３ａの前側に、入浴用物品２の落下を防止するためのストッパー９が形成されているのでも良い。図１２Ａに示される実施形態の場合は、板部５が後側の物品載置部３ａより高く形成され、この板部５の上端部がストッパー９に形成されている例である。また同図Ｂに示される場合は、板部５の上端面に、例えば正面視で逆Ｕ字形のストッパー９が起立状に設けられている例である。
【００２４】
また本発明は、図６に示されるように、物品載置部３ａがカウンター面１より高く形成されている場合は、前側と共に側部にもストッパー９が設けられるのが良い。なぜならこれによると、入浴用物品２の転落を、前方と共に側方においても防止できるからである。
なお、ストッパー９が、図６、図１２Ａに示されるように、壁状に形成される場合は、その適宜箇所に排水口１０が形成されるのが良い。
【００２５】
また本発明の場合、補助カウンター３の形成位置は任意である。即ち、上例では補助カウンター３が、浴室の側壁に当接するよう、カウンター本体部４のサイドに設けられているが、本発明はこれに限定されるものではなく、前側に設けられたり、或いは補助カウンター３がカウンター本体部４の一部に組み込まれて、例えば中央部に設けられている等でも良い。
【図面の簡単な説明】
【００２６】
【図１】本発明のカウンターの好適な一実施形態を示す取り付け状態の斜視図である。
【図２】同上カウンターの要部斜視図である。
【図３】同上カウンターの他の実施形態を示す要部斜視図である。
【図４】同上カウンターの他の実施形態を示す要部斜視図である。
【図５】同上カウンターの他の実施形態を示す要部斜視図である。
【図６】同上カウンターの他の実施形態を示す要部斜視図である。
【図７】同上カウンターの他の実施形態を示す要部斜視図である。
【図８】同上カウンターの他の実施形態を示す要部斜視図である。
【図９】同上カウンターの他の実施形態を示し、Ａは分解斜視図、Ｂは取り付け時の要部斜視図である。
【図１０】同上カウンターの他の実施形態を示し、Ａは分解斜視図、Ｂは取り付け時の要部斜視図である。
【図１１】同上カウンターの他の実施形態を示す要部斜視図である。
【図１２】Ａ、Ｂとも、同上カウンターの他の実施形態を示す要部斜視図である。
【符号の説明】
【００２７】
１    カウンター面
２    入浴用物品
３    補助カウンター
３ａ  物品載置部
【図１】
2009297201.tif 000003
【図２】
2009297201.tif 000004
【図３】
2009297201.tif 000005
【図４】
2009297201.tif 000006
【図５】
2009297201.tif 000007
【図６】
2009297201.tif 000008
【図７】
2009297201.tif 000009
【図８】
2009297201.tif 000010
【図９】
2009297201.tif 000011
【図１０】
2009297201.tif 000012
【図１１】
2009297201.tif 000013
【図１２】
2009297201.tif 000014